(57)【要約】【課題】改良されたデータ復号システムを提供する。【解決手段】復号器（１００）は、信号を受信し、該信号が弁別器（１１５）に入力されたしきい値レベルを下回っている場合に、第１電圧に等しい出力電圧を発生し、前記信号が前記しきい値レベルを上回っている場合に、第２電圧に等しい出力電圧を発生する弁別器（１１５）と、先の時間周期における弁別器（１１５）からの出力に応じて前記しきい値レベルを発生するしきい値発生器（１１６）とを有する。【選択図】図４
2004153794.tif 000002
【特許請求の範囲】
【請求項１】
信号を復号する復号器であって、
前記信号を受信し、前記信号が弁別器に入力されたしきい値レベルを下回っている場合に、第１電圧に等しい出力電圧を発生し、前記信号が前記しきい値レベルを上回っている場合に、第２電圧に等しい出力電圧を発生する該弁別器と、
先の時間周期における前記弁別器からの出力に応じて前記しきい値レベルを発生するしきい値発生器と、
を有する復号器。
【発明の詳細な説明】
【技術分野】
【０００１】
本発明は、通信システムに関し、更に詳しくは、電気的な伝送ラインに発生する歪を有する信号を復号する復号器に関する。
【背景技術】
【０００２】
データ伝送レートは、過去何年にもわたって持続的な上昇傾向を示しており、現在では、光学的システムの場合、通常、４０Ｇｂｐｓ以上のレートで伝送する能力を有している。電気的システムの場合には、１０Ｇｂｐｓに到達しようという程度のレートであるが、光学的システムで提供されている高速な伝送レートの利点は、電気的伝送システムの導入費用が安いという事実によってしばしば相殺される。又、電気的伝送システムは、エネルギー効率の面でも光学的システムより優れている。更には、光学的システムは電力要件が大きく、システム冷却のために物理的な寸法が大きくなることが多い。このため、光学的システムで提供される非常に高速なデータレートを必要としない多くのアプリケーションにおいて、依然として電気的システムが支持されている。
【０００３】
従って、電気的システムの伝送レートの向上は、依然として有利であると考えられる。電気的システムのレートに影響を与える要因の１つは、表皮効果と呼ばれる現象である。導電体内への電磁（ＥＭ）波の浸透深度は、そのＥＭ波の周波数によって決まる。周波数が高いほど導電体内への浸透が浅くなるのである。この結果、所与の物理的断面領域を有する導電体で信号を送信する場合、高周波数成分にとっての有効領域は、低周波数成分にとっての有効領域と比べて小さくなる。この結果、高周波数に対するインピーダンスが低周波数に対するものよりも大きくなる。このようなインピーダンスの周波数依存性を表皮効果と呼んでいる。
【０００４】
データストリームは、いくつかの異なる方式を使用して導電体上で変調することができる。最も一般的な２つの方式は、ＲＺ（ゼロ復帰）変調方式とＮＲＺ（非ゼロ復帰）変調方式である。ＲＺ変調方式では、情報の各ビットの変調は同じ電圧レベルで始まりかつ終了する（普通、回路接地レベルである）。従って、Ｎ個の１からなる列で構成される伝送は、理想的には、それぞれ時間周期の半分の幅と電圧Ｖを有するＮ個の個別パルスの列として表れる。一方、ＮＲＺ変調方式の場合には、変調レベルは、各ビットの末尾で同一レベルに戻らない。ＮＲＺ伝送方式では、Ｎ個の１からなる列は、理想的には、Ｎ個分の時間周期の長さを備え、電圧Ｖを有する単一パルスとして表れる。
【０００５】
表皮効果の影響を受けるＮＲＺ伝送方式の場合、高周波数におけるエネルギー損失のために、パルスの上昇及び下降時間が増大する。そして、上昇及び下降時間が各ビットに割り当てられている時間周期と比べて長い場合には、導電体上での信号の上昇電位がビットパターンに依存することになる。このビットパターンへの依存性により、伝送ラインの受信端で信号を復号する際にビット誤りが発生する。
【０００６】
従来技術によるシステムでは、通信チャネルの送信端又は受信端のいずれかにおいてデータストリーム信号を調節することにより、この問題を克服しようとしている。通信チャネルの送信端において、これらのシステムはパルス形状を変更し高周波数成分に大きなエネルギーを供給することにより、伝送中における高周波数情報の損失を補償している。
【０００７】
このタイプのシステムでは、通信媒体に起因する損失を補償するために高周波数エネルギーを追加供給することが必要である。この高周波数信号エネルギーの追加供給により、通信リンクの送信端における漏話が激化する。更に、送信機の高周波数エネルギー成分を増大させれば、電力消費量も増大することになる。
【０００８】
伝送ラインの受信端に逆表皮効果フィルタを提供することで第二の等化策が得られる。このようなフィルタは、通信チャネルにおける消失エネルギーを補うべく、高周波数での大きな利得を有していなければならない。しかしながら、非常に高い周波数で十分に低雑音のこの種の高利得フィルタを製作することは困難である。
【発明の開示】
【発明が解決しようとする課題】
【０００９】
広義には、本発明の目的は、改良されたデータ復号システムを提供することにある。
【００１０】
この目的、及びその他の本発明の目的は、本発明に関する以下の詳細な説明と添付の図面を参照することにより、当業者に明らかになるであろう。
【課題を解決するための手段】
【００１１】
本発明は、信号を復号する復号器である。この復号器は、弁別器としきい値発生器を含んでいる。弁別器は、信号を受信し、この信号が弁別器に入力されたしきい値レベルを下回っている場合には第１電圧に等しい出力電圧を発生し、信号がしきい値レベルを上回っている場合には第２電圧に等しい出力電圧を発生する。しきい値レベルは、先の時間間隔における弁別器の出力に依存し、この弁別器の出力は、入力信号が通過した伝送リンクのインパルス応答に依存する。しきい値発生器は、低域通過アナログフィルタを実装しており、この低域通過アナログフィルタは、それぞれのクロック周期において出力電圧を受信し、ろ波された出力信号を発生する。又、しきい値発生器は、利得入力信号によって指定された量だけフィルタ出力信号を増幅し、しきい値レベルを発生する可変利得増幅器を実装することもできる。利得入力信号は、クロック周期の開始点よりも早い又は遅い時点で入力信号がしきい値レベルと交差したかどうかを示すタイミング信号を参照して設定可能である。１つのクロック周期における利得入力信号は、タイミング信号とそのクロック周期より前の２つのクロック周期における弁別器の出力に依存することが好ましい。又、しきい値発生器には、タイミング信号と以前発生した出力電圧値によって決定される量だけしきい値を相殺する回路を含むこともできる。
【発明の効果】
【００１２】
本発明の実施により、信号伝送ひずみより受信信号に発生するデータ誤りを少なくすることができる。
【発明を実施するための最良の形態】
【００１３】
図１を参照すれば、本発明がその利点を提供する方法について容易に理解することができる。この図１は、従来技術によるＮＲＺ通信リンク及びデータ復号方式の概略図である。通信リンク１３で送信されるデータは、通信リンクの入力１２において、導電体の電位を変調する送信機１１によって信号導電体上に配置される。弁別器１５は、通信リンク１３の出力１４において、ライン１４上の電位をしきい値レベルＶthと比較することにより、入力データの回復を試みる。計測電位がＶthを上回っている場合には、弁別器１５の出力は論理１に関連付けられた電位となる。一方、計測電位がＶthを下回っている場合には、弁別器１５の出力は論理０に関連付けられた電位に設定される。
【００１４】
次に図２Ａを参照すれば、通信リンクの入力１２における代表的な信号パターンが示されている。このパターンは、．．．００００１００００００１１１１１１１１０１１１１１１１０００００という形態のビットストリームに対応したものである。伝送リンク１３が表皮効果やその他の高周波数減衰の影響下にある場合には、図２Ａに示されている入力信号は、図２Ｂに示されている出力信号に変換される（図２Ｂは、伝送リンク１３の出力端における信号を示している）。弁別器１５が２４のピークを検出するべくＶthをレベル２３に設定した場合には、２５の０ビットは、このビットに関連付けられている電位がレベル２３未満にまで落ちないため、誤って論理１に設定されることになる。一方、Ｖthをレベル２２に設定した場合には、２４に示されている１は、このビットに関連付けられている電位がレベル２２に到達しないため、誤って論理０に設定されることになる。従って、出力を正しく復号する単一のしきい値が存在していないのである。
【００１５】
本発明は、弁別器に可変のしきい値を供給することにより、この問題を克服している。このしきい値を変化させる方法は、簡単な例を参照することによって容易に理解することができる。図３を参照すれば、複数の１からなるシーケンスが伝送された際の表皮効果の影響下にある通信リンクの出力端における電圧３１が示されている。前述のように、通信チャネルは、低速の上昇時間を有しており、このため、出力電圧は、論理１に関連付けられた電圧レベルに向かって低速で上昇する。いくつかのビットが通過した後の通信チャネルの出力電位Ｖは、Ｔに示されているとおりである。次のビットが１であれば、電位は、３５で示されている曲線を辿りＴ’でＶ’’となる。一方、次のビットが０の場合には、電圧は３６で示されている曲線を辿りＴ’でＶ’となる。弁別器がＴ’で電圧をサンプリングする場合、弁別器でのしきい値がＶ’とＶ’’の間にあれば、正しい結果を取得することができる。理想的には、しきい値は、Ｖ’とＶ’’の中間の３７に設定される。
【００１６】
ＮＲＺシステムでは、最適なしきい値は、以前伝送された数ビットの値に依存することになる。正しいしきい値の予測に必要なビット数は、各ビット時間に対応する信号を表皮効果が拡散させる程度に依存する。階段関数を通信リンクに入力するケースを考えてみよう（即ち、．．．０００００００００００１１１１１１１１１１１というビットパターンを送信する場合である）。表皮効果が存在しなければ、通信リンクの受信端における電位は、０から１への遷移に対応する時点で０からＶmaxに上昇する階段関数となるであろう。しかし表皮効果により、この上昇時間が拡散し、その結果、信号は、Ｖmaxに到達するのにいくつかのビット時間を必要とする長くて低速の上昇尾部を有する。各ビットの復号に使用する最適なしきい値を決定する際に考慮しなければならないビットの数は、この尾部がＶmaxと略等しい電位に到達するのに必要な時間によって決定される。以下の説明においては、この考慮しなければならないビット数をＮbと表記する。
【００１７】
次に図４を参照すれば、本発明の一実施例による復号器１００のブロック図が示されている。この復号器１００は、弁別器１１５としきい値発生器１１６を利用し通信リンク１４からの信号を復号する。しきい値発生器１１６は、弁別器１１５が復号するべく以前受信したビットストリームに応じて弁別器１１５に適用するしきい値電圧を変化させる。
【００１８】
次に図５を参照すれば、本発明によるしきい値発生器の一実施例の概略図が示されている。しきい値発生器１５０は、出力が加算器１５４によって加算される３つの単極フィルタ１５１〜１５３を含んでいる。加算器１５４の出力は、増幅器１５５によって利得係数ＫSCALEで増減され、出力しきい値電位Ｖthが発生される。各フィルタへの入力は弁別器の出力である。各フィルタは、極周波数と利得係数によって特徴付けられている。これらのパラメータは、３つのフィルタの加算出力が１ビット時間後の表皮効果の影響下にある伝送リンクのステップ応答の尾部を近似するように選定される。数学的には、これは、次の式で表すことができる。
【００１９】
ｙ（ｔ）＝ｕ（ｔ＋ｔb）−ｕ（ｔb）  ｔ＞＝０
ｙ（ｔ）＝０                        ｔ＜０
【００２０】
ここで、ｙ（ｔ）はしきい値電圧Ｖthであり、ｕ（ｔ）はステップ応答、ｔbはビット時間である。即ち、．．．０００００００１１１１１１１１１１．．．のＮＲＺ変調に対応する信号をこれらのフィルタに入力した際に加算器１５４から出力される信号は、同一のシーケンスを通信リンクの入力に印加した際に通信リンクから出力される信号と同じ形状を有している。このしきい値の値は、遅延回路１５６によって１ビット時間だけ遅延される。尚、フィルタ、加算器、及び増幅器が本来有している遅延により、この遅延の一部又はすべてを提供可能であることに留意されたい。後者の場合には、遅延回路１５６を省略することができる。
【００２１】
尚、前述の階段関数を入力した場合に通信リンクから出力される信号の形状は、通信リンクにおける表皮効果の影響下にある部分の長さが変化しても大きく変化しないことに留意されたい。即ち、信号の減衰量は増加するが、形状は、通信リンクが長くなっても略同一に維持されるのである。この結果、通信リンクの長さの変化には、ＫSCALEを変化させることによって対処することができる。
【００２２】
ＫSCALEを自動的に調節する本発明の実施例を実施することも可能である。これらの実施例は、異なるビット間の遷移タイミングもＫSCALEによって変化するという観察結果に基づくものである。次に図６を参照すれば、本発明の別の実施例による復号器２００のブロック図が示されている。この復号器２００は、フィルタバンク２０１とスケーリング増幅器２０２を利用し、前述と同様の方法でしきい値電位を発生する。復号器２００は、前述の弁別機能を実行する検出器２０５を有する弁別器を利用している。この場合には、検出器２０５は、固定されたしきい値を利用している。従って、本発明の可変しきい値は、到来信号から電位Ｖthを減算する差分回路２０６を利用することによって実装される。
【００２３】
検出器２０５は、連続ビット間における遷移が、ビット間で遷移が発生するべき時点を指定するクロックと比べ、早いか／遅いかをも判定する。この判定結果は、遷移の早い／遅いを示すＥ／Ｌ信号の形態で伝達される。
【００２４】
復号器２００は、検出器２０５から出力されるデータとＥ／Ｌ信号を監視する制御装置２０４を有している。この制御装置は、この情報を使用してＫSCALEを大きくしたり小さくしたりする。現在のビットの早い／遅いの通知と先の２ビットの履歴のみを利用する。対象となるケースは２ケースである。第１のケースでは、先の２ビットが同一であり、第２のケースでは、先の２ビットが異なっている。制御装置２０４がＫSCALEを変更する方法を次の表に示す。
【００２５】
【表１】
2004153794.tif 000003
【００２６】
尚、制御装置２０４に必要とされるのは、定期的なＫSCALEの調節のみであることに留意されたい。一般的に、ＫSCALEは通信リンクの長さの変化や温度などの低速で変化する環境変数の変化に応答して変化するものと予想される。従って、制御装置２０４に必要な唯一の高速デジタル回路は、先の２データビットの値を保存できるシフトレジスタなどのレジスタである。
【００２７】
本発明の前述の実施例では、早い／遅い信号を供給可能な検出器が利用可能であるということを前提としている。到来データストリームからタイミング情報を抽出するのに一般的に使用されているアレキサンダータイプの位相検出器を利用し、この信号を供給することができる。このタイプのマルチ位相検出器は、本発明を動作させるべく設計される高速のデータレートで動作する能力を有している。
【００２８】
早い／遅い検出器を有する実施例には、入力信号のベースラインのドリフトを補償するシステムを内蔵することも可能である。かかる実施例においては、制御装置２０４は、ＶthのＤＣレベルをシフトさせる加算器２０３にＤＣレベルを供給する。ＤＣレベルの調節に使用するアルゴリズムは、現在の遷移の早い／遅い信号と、遷移が０から１へのものであったか（即ち、上昇）或いは１から０へのものであったか（即ち、下降）の変化方向に依存する。この制御装置２０４が実行する補償アルゴリズムを次の表に示す。
【００２９】
【表２】
2004153794.tif 000004
【００３０】
本発明では、様々な弁別回路を利用することができる。例えば、弁別及び１ビット遅延機能をリタイミングラッチで実装することができる。同様に、１ビットの組み合わせ遅延を有する制限増幅器が後段に接続された減算ノードを利用し、弁別機能を実行可能である。
【００３１】
本発明の前述の実施例では、３フィルタバンクを利用して、しきい値電圧を発生している。しかしながら、その他の形態のフィルタバンクも利用可能である。又、フィルタバンクのフィルタ数も、本発明の開示内容を逸脱することなく、変更することができる。理想的なフィルタバンクは通信リンクのステップ応答の形を再現するが、この応答を近似するだけのフィルタも利用可能であって、この場合にも、可変のしきい値を利用していないシステムに比べて優れた利点を提供することができる。
【００３２】
本発明の前述の実施例では、アナログフィルタバンクを利用して可変のしきい値を発生しているが、これは、この種のフィルタバンクが１０Ｇｂ／ｓを上回るデータレートで動作できるためである。しかしながら、低データレートのシステムの場合には、本発明のデジタルの実施例を利用することができる。このような実施例では、Ｎb個の以前受信したビットのそれぞれの可能な組み合わせ用の正しいしきい値を保存するルックアップテーブルを備えたしきい値発生器を利用する。
【００３３】
前述のように、本発明は、ＫSCALEを調節するだけで通信リンクの様々な長さに対処することができるため、表皮効果の影響下にある通信リンクからの信号の復号に特に有用である。しかしながら、本発明は、その他の歪関数を有する通信リンクからのデータストリームの復号にも有用である。このようなケースでは、フィルタバンク又はルックアップテーブルがその新しい歪関数にマッチしていることが理想的である。
【００３４】
本発明の前述の実施例は、復号するデータストリームが２値伝送（即ち、１と０からなるシーケンス）であることを前提としている。しかしながら、本発明の実施例は、データストリームが、０〜Ｎ（ここで、Ｎ＞１）の値を有するシンボルのストリームから構成されているマルチレベルの伝送を復号するべく構築することも可能である。このような伝送の場合には、各シンボルを個別の電圧レベルによって表している。このような伝送を復号するための従来の復号器は、Ｎ−１個のしきい値を有しており電位がＶkを上回る最低の個別電圧レベルを出力する弁別器から構成されている（ここで、Ｖkはｋ番目のしきい値の電位であり、ｋは１〜Ｎ−１である）。即ち、Ｎ個の個別出力レベルＶO1．．．ＶONとＮ−１個のしきい値レベルＶ1．．．ＶN-1が存在する場合、マルチレベル弁別器は、次の式によって記述される変換関数を有している。
【００３５】
Ｖk＜Ｖinの場合に、          Ｖｏｕｔ＝ＶOk    ｋ＝Ｎ−１
Ｖk＜Ｖin＜Ｖk+1の場合に、  Ｖｏｕｔ＝ＶOk    ｋ＝１．．Ｎ−２
Ｖin＜Ｖkの場合に、          Ｖｏｕｔ＝ＶO0    ｋ＝１
【００３６】
次に図７を参照すれば、送信機３１１によって発生されたマルチレベル入力信号を復号する本発明の別の実施例による復号器３００の概略図が示されている。この復号器３００は、図４に示されている復号器１００に類似しており、復号器３００は、しきい値発生器３１６によって発生されたしきい値Ｖthを取得する弁別器３１５を利用し、しきい値発生器３１６は、この弁別器３１５によって発生された先の信号値を利用してＶthの値を決定する。この場合には、弁別器３１５が、Ｖthから前述のＮ−１個のしきい値を内部的に発生することを前提としている。最も簡単な実施例においては、ｋ番目のしきい値は、Ｖth＋（ｋ−１）ｄと等しく、ここで、ｄは、通信リンク上に実装された伝送方式における連続した個別電圧レベル間の差である。
【００３７】
しきい値発生器３１６は、前述の２値伝送の場合のしきい値発生器と同様の方法で構築することができる。即ち、前述のフィルタの配列により、マルチレベル伝送用の正しいＶthも供給される。又、本発明のその他の２値の実施例をマルチ伝送システムに拡張することも同様に可能である。
【００３８】
前述の実施例は、アナログフィルタの観点で説明されている。この種のフィルタは、従来のアナログコンポーネントの形態で実装することができる。データレートが十分に小さければ、これらのフィルタをデジタル的に実装することも可能である。
【００３９】
尚、本発明の好適な実施例ではフィルタを利用してＶthを発生しているが、低データレートの場合には、ルックアップテーブルを利用するデジタルプロセッサも使用可能であることに留意されたい。このようなシステムでは、以前受信したビットのそれぞれの可能なシーケンス用の正しいしきい値を保存することになる。このテーブルによってカバーする必要のあるビット数は、前述のように、伝送ラインのインパルス応答の尾部に依存する。尾部の有意な部分がＭ個のビット周期にわたって延長している場合には、Ｍビットのアドレスを有するテーブルを利用することができる。次に図８を参照すれば、このようなルックアップテーブルを利用するしきい値発生器の概略図が示されている。しきい値発生器４００は、それぞれのビット周期ごとに弁別器４１５の出力を受信するシフトレジスタ４０１を含んでいる。このシフトレジスタ４０１には、Ｍ個の以前に復号された信号値が保存される。それぞれの復号された新しい値は、シフトレジスタ４０１にシフトインされ、最も古い値がシフトレジスタの端からシフトオフされる。シフトレジスタ４０１は、しきい値に関連する値の組を保存するメモリ４０２のアドレスレジスタとして機能する。これらの保存値は、前述のアナログフィルタを模擬することによって算出することができる。Ｄ／Ａ変換器４０３は、保存されているデジタル値からアナログのしきい値を発生する。任意選択のスケーリング増幅器４０１を含み、前述のアナログフィルタの実施例を参照して説明したスケーリング機能を提供することも可能である。
【００４０】
本発明の前述の実施例は、クロックが指定するタイミングで入力信号をサンプリングし、サンプリングした値に基づいて量子化された出力信号を発生する弁別器の観点で説明されている。しかしながら、本発明の非同期の実施例も構築することができる。例えば、図４に示されている実施例では、入力信号を継続的に比較する弁別器を利用可能である。入力信号がしきい値を上回った場合には、弁別器は第１電圧レベルを出力する。一方、入力がしきい値レベルを下回った場合には、弁別器は第２電圧レベルを出力する。このような実施例では、信号レベルが変化するか、或いはしきい値レベルが変化すると、弁別器の出力が変化する。
【００４１】
図５に示されているしきい値レベル発生器の実施例では、単一のスケーリング増幅器を利用し、長さの異なる伝送リンクにしきい値発生器を適合させている。しかしながら、このような適合処理は、その他の方式を利用しても実現することができる。例えば、図５に示されているフィルタのそれぞれに、Ａ×ＫSCALE＋Ｂの形態の関数でフィルタの出力をスケーリングするスケーリング回路を含むことができる（ここで、Ａ及びＢは、それぞれのフィルタ用に経験的に決定された定数である）。このようなシステムでは、前述のアルゴリズムを使用し、ＫSCALEを自動的に調節することができる。
【００４２】
本発明に対する様々な変更は、以上の説明と添付の図面を参照することによって当業者に明らかとなるであろう。従って、本発明は、添付の特許請求の範囲によってのみ限定されるべきものである。しかしながら、本発明の広汎な実施の可能性に鑑み、本発明の実施態様の一端を下記して参考に供する。
【００４３】
（実施態様１）
信号を復号する復号器（１００、２００、３００、４００）であって、
前記信号を受信し、前記信号が弁別器（１１５、２０５、３１５、４１５）に入力されたしきい値レベルを下回っている場合に、第１電圧に等しい出力電圧を発生し、前記信号が前記しきい値レベルを上回っている場合に、第２電圧に等しい出力電圧を発生する弁別器（１１５、２０５、３１５、４１５）と、
先の時間周期における前記弁別器（１１５、２０５、３１５、４１５）からの出力に応じて前記しきい値レベルを発生するしきい値発生器（１１６、３１６）と、
を有する復号器（１００、２００、３００、４００）。
【００４４】
（実施態様２）
前記先の時間周期は、前記信号が前記弁別器（１１５、２０５、３１５、４１５）に受信される前に通過する伝送リンク（１３）のインパルス応答に依存する実施態様１に記載の復号器（１００、２００、３００、４００）。
【００４５】
（実施態様３）
前記しきい値発生器（１１６、３１６）は、前記出力電圧を受信しろ波された出力信号を発生する低域通過フィルタ（１５０、２０１）を有する実施態様１に記載の復号器（１００、２００、３００、４００）。
【００４６】
（実施態様４）
利得入力信号の指定に応じて前記フィルタ出力信号を増幅し前記しきい値レベルを発生する可変利得増幅器（１５５、２０２）を更に有する実施態様３に記載の復号器（１００、２００、３００、４００）。
【００４７】
（実施態様５）
前記弁別器（１１５、２０５、３１５、４１５）は、複数のクロック周期を定義するクロック信号を受信し、前記弁別器（１１５、２０５、３１５、４１５）は、前記入力信号が前記クロック周期よりも早い又は遅い時点で前記しきい値レベルと交差したかどうかを示すタイミング信号を更に発生し、前記復号器は、前記利得入力信号を発生する制御装置（２０４）を更に有する実施態様４に記載の復号器（１００、２００、３００、４００）。
【００４８】
（実施態様６）
前記クロック周期の１つにおいて前記制御装置が発生する前記利得入力信号は、前記タイミング信号と該クロック周期より前の２つのクロック周期における前記弁別器（１１５、２０５、３１５、４１５）の出力に依存する実施態様５に記載の復号器（１００、２００、３００、４００）。
【００４９】
（実施態様７）
前記フィルタが、並列に接続された複数の単極フィルタ（１５１〜１５３）を有している実施態様３に記載の復号器（１００、２００、３００、４００）。
【００５０】
（実施態様８）
オフセット信号によって決定される量だけ前記しきい値レベルをシフトさせる信号を更に有する実施態様５に記載の復号器（１００、２００、３００、４００）。
【００５１】
（実施態様９)
前記オフセット信号は、前記タイミング信号に応じる実施態様８に記載の復号器（１００、２００、３００、４００）。
【００５２】
（実施態様１０）
信号を復号する方法であって、
１つの時間周期において、前記信号がしきい値レベルを下回っている場合には第１電圧に等しく、前記信号が前記しきい値レベルを上回っている場合には第２電圧に等しい出力電圧を発生する段階と、
先の時間周期における前記出力電圧に応答して前記しきい値レベルを発生する発生段階と、を有すること特徴とする復号方法。
【００５３】
（実施態様１１）
前記先の時間周期は、前記発生段階の前に前記信号が通過する伝送リンク（１３）のインパルス応答に応じる実施態様１０に記載の復号方法。
【００５４】
（実施態様１２）
前記発生段階は、前記出力電圧を低域通過ろ波（１５０、２０１）し、ろ波された出力信号を発生する段階を有する実施態様１０に記載の復号方法。
【００５５】
（実施態様１３）
利得入力信号によって指定された量だけ前記ろ波された出力信号を可変増幅し前記しきい値レベルを発生する段階を更に有する実施態様１２に記載の復号方法。
【００５６】
（実施態様１４）
複数のクロック周期を定義するクロック信号を受信する段階と、
前記入力信号が前記クロック周期よりも早い又は遅いタイミングで前記しきい値レベルと交差したかどうかを示すタイミング信号を発生する段階と、
前記タイミング信号に応答して前記利得入力信号を発生する段階と、を更に有する実施態様１３に記載の復号方法。
【００５７】
（実施態様１５）
前記クロック周期の１つにおける前記利得入力信号は、前記タイミング信号と前記クロック周期の前の２つのクロック周期における前記出力電圧に依存する実施態様１４に記載の復号方法。
【００５８】
（実施態様１６）
オフセット信号に応じて前記しきい値レベルをシフトさせる段階を更に有する実施態様１４に記載の復号方法。
【００５９】
（実施態様１７）
前記タイミング信号に応じて前記オフセット信号を発生する段階を更に有する実施態様１６に記載の復号方法。
【００６０】
（実施態様１８）
前記低域通過ろ波段階は、並列に接続された複数の単極フィルタと等価なフィルタ機能を利用する段階を有する実施態様１２に記載の復号方法。
【図面の簡単な説明】
【００６１】
【図１】単純化された従来技術によるＮＲＺ通信リンクとデータ復号方式の概略図である。
【図２Ａ】図１に示されている通信リンクの入力１２における代表的な信号パターンを示す図である。
【図２Ｂ】図１に示されている伝送リンク１３の出力端における信号を示す図である。
【図３】複数の１からなるシーケンスが伝送された場合の表皮効果の影響下にある通信リンクの出力端における電圧を示している。
【図４】本発明の一実施例による復号器１００のブロック図である。
【図５】本発明によるしきい値発生器の一実施例の概略図である。
【図６】本発明の別の実施例による復号器２００のブロック図である。
【図７】マルチレベルの信号入力を復号する本発明の別の実施例による復号器３００の概略図である。
【図８】ルックアップテーブルを利用するしきい値発生器の概略図である。
【符号の説明】
【００６２】
１１  送信機
１３  伝送リンク
１００、２００、３００、４００  復号器
１１５、２０５、３１５、４１５  弁別器
１１６、３１６  しきい値発生器
１５０、２０１  低域通過フィルタ
１５１、１５２、１５３  単極フィルタ
１５５、２０２  可変利得増幅器
２０４  制御装置
【図１】
2004153794.tif 000005
【図２Ａ】
2004153794.tif 000006
【図２Ｂ】
2004153794.tif 000007
【図３】
2004153794.tif 000008
【図４】
2004153794.tif 000009
【図５】
2004153794.tif 000010
【図６】
2004153794.tif 000011
【図７】
2004153794.tif 000012
【図８】
2004153794.tif 000013